(57)【要約】【課題】容易かつ確実に鳥害を防止すること。【解決手段】磁性材料を含み、シート形状をなすマグネットシート１０１と、マグネットシート１０１に取り付けられ、マグネットシート１０１の他面側から突出する複数の鳥害防止用突起部材１０２、４０１と、を備え、鳥害防止用突起部材１０２、４０１が、それぞれ、隣接する鳥害防止用突起部材１０２、４０１に対して所定の間隔を空けた状態で配置された鳥害防止装置１００を構成した。これにより、鉄塔を構成する鉄塔部材７０１にマグネットシート１０１を貼り付けるだけで、鉄塔部材７０１における任意の位置に鳥害防止装置１００を設置することができる。【選択図】図７
2011182735.tif 000002
【特許請求の範囲】
【請求項１】
磁性材料を含み、シート形状をなすマグネットシートと、
前記マグネットシートに取り付けられ、前記マグネットシートの他面側から突出する複数の鳥害防止用突起部材と、
を備え、
前記鳥害防止用突起部材は、それぞれ、隣接する前記鳥害防止用突起部材に対して所定の間隔を空けた状態で配置されていることを特徴とする鳥害防止装置。
【請求項２】
前記マグネットシートは、当該マグネットシートを厚さ方向に貫通する複数の孔を備え、
前記鳥害防止用突起部材は、前記複数の孔にそれぞれ挿入される突状体と、当該突状体を支持するとともに前記マグネットシートに固定される固定部材と、を備えたことを特徴とする請求項１に記載の鳥害防止装置。
【請求項３】
前記突状体は、加えられた外力に応じて変形する可撓性、および、前記外力から解放された場合に当該外力が加えられる前の所定の形状に復帰する弾性を有する材料を用いて形成されていることを特徴とする請求項２に記載の鳥害防止装置。
【請求項４】
前記鳥害防止用突起部材は、前記マグネットシートに対して取り外し可能に取り付けられていることを特徴とする請求項１〜３のいずれか一つに記載の鳥害防止装置。
【請求項５】
前記マグネットシートは、破線状に配列され前記マグネットシートを厚さ方向に貫通する複数の孔を備えたことを特徴とする請求項１〜４のいずれか一つに記載の鳥害防止装置。
【発明の詳細な説明】
【技術分野】
【０００１】
この発明は、鳥を原因とした鉄塔における被害を防止する鳥害防止装置に関する。
【背景技術】
【０００２】
従来、高圧送電線鉄塔に飛来した鳥を原因とした短絡事故や、鳥が巣作りのために運んできた巣材を原因とした地絡事故などの各種の事故およびこのような事故に起因する被害（以下「鳥害」という）の発生を防止することを目的として、各種の技術が考案されていた。
【０００３】
具体的には、従来、たとえば一方の操作棒の先端部の把握具に、鳥害防止ワイヤの一端部を取り付けた支柱を把持して、この支柱の下端部に装着された取付具をアングル材に装入し、また他方の操作棒の先端部に装着されたドライバーのアタッチメントを上記取付具に装着されたボルトに嵌合し、上記ドライバーを駆動して上記ボルトを螺入することにより、鳥害防止用ワイヤーを簡単に張設できるようにした技術があった（たとえば、下記特許文献１を参照）。
【０００４】
また、具体的には、従来、たとえば、棒状体の一端部に、電線鉄塔のアングル材の上面から突出した組立用既設ボルトに螺合するねじ穴を設けるとともに、他端側に、既設ボルトに固定した状態でほぼ垂直に起立する係止部を設け、係止部には通し孔を設けて、鳥害防止線の端部を通し巻き留め、固定部をアングル材の端部の既設ボルトに取り付けることにより、係止部に鳥害防止線を留め、アングル材上に鳥害防止線を張ることができるようにした技術があった（たとえば、下記特許文献２を参照）。
【０００５】
また、具体的には、従来、たとえば、鉄塔に飛来した鳥を感知する鳥感知センサと、鳥類，猛獣等の鳴声の合成音，カラスの警戒鳴声を複数種類記憶させた音声記憶回路と、該音声記憶回路に記憶された音声の中から種類をランダムに選択しアンプを通してスピーカに発声させる音声選択出力回路と、太陽電池により昼間時に充電されるようにした作動電源用二次電池とからなり、鳥感知センサが作動するに従い音声記憶回路からランダムに選択された威嚇音を周囲に発声させるようにした技術があった（たとえば、下記特許文献３を参照）。
【０００６】
また、具体的には、従来、たとえば、支持部材の上部のケース内の軸部に線材を巻回し、線材を巻き取る方向に付勢するばね材を軸部に内蔵し、開口部から線材を導出して導電線鉄塔の部材に取着し、強風などにより線材が切断すると、一方の切れはしはばね材のばね力によりケース内の軸部に自動的に巻き取られるようにした技術があった（たとえば、下記特許文献４を参照）。
【０００７】
また、具体的には、従来、たとえば、高出力マイクロ波発振器と放射電波の広がり角の狭いアンテナとアンテナを左・右に振らせる走査機構から構成され、飛来した鳥類にマイクロ波を当てることによって、鳥類が飛来して高圧送電鉄塔等に接近し、送電線事故や糞害を惹起するのを防止するようにした技術があった（たとえば、下記特許文献５を参照）。
【０００８】
また、具体的には、従来、たとえば、鉄塔のアーム、送電線、電柱の腕金、変圧器、開閉器、または配電線などに沿って取り付けられる電気絶縁体材料からなる線状体と、該線状体の表面に線状体の周方向に沿って突出された複数の電気絶縁材料からなる盤状体と、鉄塔のアーム、送電線、電柱の腕金、変圧器、開閉器、または配電線などの上部に取り付けられ、線状体を支持する取り付け具と、を備え、電気絶縁体の線状体によって鉄塔のアーム等に鳥が止まることを防止するようにした技術があった（たとえば、下記特許文献６を参照）。
【先行技術文献】
【特許文献】
【０００９】
【特許文献１】特開平０５−１３０７２１号公報
【特許文献２】特開平０７−２７４３６２号公報
【特許文献３】特開平０９−１０７８６５号公報
【特許文献４】特開平１１−１２２７７６号公報
【特許文献５】特開平１１−３３２４４７号公報
【特許文献６】特開２００１−０４５９５４号公報
【発明の概要】
【発明が解決しようとする課題】
【００１０】
しかしながら、上述した特許文献１に記載された従来の技術では、ワイヤーの取り付けに別装置をつける必要があり、部品点数が多くなり、取り付け作業が煩雑になってしまうという問題があった。また、上述した特許文献２に記載された従来の技術では、鉄塔部材のボルトを利用して取り付けるものであるため、取り付けた後に鉄塔上で作業をおこなう際に歩行の邪魔になってしまうという問題があった。
【００１１】
また、上述した特許文献３に記載された従来の技術では、鳥類が飛来したときにセンサーにより感知し音声を発するものであるため、本技術を市街地等の人家が密集している地域において使用する場合は苦情の対象になりかねず、利用環境が制限されてしまうという問題があった。また、上述した特許文献４に記載された従来の技術では、部材上に張られた線材を巻き取るための装置が、部材上を歩行するときに邪魔になってしまうという問題があった。
【００１２】
また、上述した特許文献５に記載された従来の技術では、高圧電源を必要とするため、安定した電源を確保しなくてはならず、利用環境が制限されてしまうという問題があった。また、上述した特許文献６に記載された従来の技術では、鉄塔上で作業をおこなう際に、電気絶縁体の線状体が歩行の邪魔になってしまうという問題があった。
【００１３】
この発明は、上述した従来技術による問題点を解消するため、容易かつ確実に鳥害を防止することができる鳥害防止装置を提供することを目的とする。
【００１４】
また、この発明は、上述した従来技術による問題点を解消するため、取り付け対象箇所を限定することなく、鉄塔における任意の位置に取り付けることができる鳥害防止装置を提供することを目的とする。
【課題を解決するための手段】
【００１５】
上述した課題を解決し、目的を達成するため、この発明にかかる鳥害防止装置は、磁性材料を含み、シート形状をなすマグネットシートと、前記マグネットシートに取り付けられ、前記マグネットシートの他面側から突出する複数の鳥害防止用突起部材と、を備え、前記鳥害防止用突起部材は、それぞれ、隣接する前記鳥害防止用突起部材に対して所定の間隔を空けた状態で配置されていることを特徴とする。
【００１６】
また、この発明にかかる鳥害防止装置は、上記の発明において、前記マグネットシートが、当該マグネットシートを厚さ方向に貫通する複数の孔を備え、前記鳥害防止用突起部材が、前記複数の孔にそれぞれ挿入される突状体と、当該突状体を支持するとともに前記マグネットシートに固定される固定部材と、を備えたことを特徴とする。
【００１７】
また、この発明にかかる鳥害防止装置は、上記の発明において、前記突状体が、加えられた外力に応じて変形する可撓性、および、前記外力から解放された場合に当該外力が加えられる前の所定の形状に復帰する弾性を有する材料を用いて形成されていることを特徴とする。
【００１８】
また、この発明にかかる鳥害防止装置は、上記の発明において、前記鳥害防止用突起部材が、前記マグネットシートに対して取り外し可能に取り付けられていることを特徴とする。
【００１９】
また、この発明にかかる鳥害防止装置は、上記の発明において、前記マグネットシートが、破線状に配列され前記マグネットシートを厚さ方向に貫通する複数の孔を備えたことを特徴とする。
【発明の効果】
【００２０】
この発明にかかる鳥害防止装置によれば、容易かつ確実に鳥害を防止することができるという効果を奏する。
【図面の簡単な説明】
【００２１】
【図１】この発明にかかる実施の形態の鳥害防止装置を示す説明図である。
【図２】この発明にかかる実施の形態の鳥害防止装置の構成部品を示す説明図（その１）である。
【図３】この発明にかかる実施の形態の鳥害防止装置の構成部品を示す説明図（その２）である。
【図４】この発明にかかる実施の形態の鳥害防止装置の構成部品を示す説明図（その３）である。
【図５】この発明にかかる別の実施の形態の鳥害防止装置を示す説明図（その１）である。
【図６】この発明にかかる別の実施の形態の鳥害防止装置を示す説明図（その２）である。
【図７】この発明にかかる実施の形態の鳥害防止装置の設置例を示す説明図である。
【発明を実施するための形態】
【００２２】
以下に添付図面を参照して、この発明にかかる鳥害防止装置の好適な実施の形態を詳細に説明する。
【００２３】
（鳥害装置の構成）
まず、この発明にかかる実施の形態の鳥害防止装置について説明する。図１は、この発明にかかる実施の形態の鳥害防止装置を示す説明図である。図２および図３は、この発明にかかる実施の形態の鳥害防止装置の構成部品を示す説明図である。図１、図２および図３において、この発明にかかる実施の形態の鳥害防止装置１００は、マグネットシート１０１と、鳥害防止用突起部材１０２と、を備えている。
【００２４】
マグネットシート１０１は、磁性材料を含み、シート形状をなしている。具体的には、マグネットシート１０１は、たとえば、厚さが１ｍｍ程度、幅が３０ｍｍ〜４０ｍｍ程度の長尺形状とすることができる。磁性材料は、たとえば、フェライト磁石の素材であるフェライトパウダーを用いることができる。
【００２５】
マグネットシート１０１は、たとえば、フェライトパウダーをゴム材料に分散させ、シート形状に成形することによって形成することができる。ゴム材料は、たとえば、シリコンゴムなど、耐候性を備えた特殊ゴムであることが好ましい。マグネットシート１０１は、フェライトパウダーの向きが等しく、どの面にも着磁を発揮する等方性マグネットシートによって実現することができる。また、マグネットシート１０１は、フェライトパウダーの向きが一方方向な材質を含み、磁力が強い異方性マグネットシートによって実現してもよい。
【００２６】
また、マグネットシート１０１は、一面側（鳥害防止装置１００を設置した場合の表面側）が着色されていてもよい。この場合、マグネットシート１０１は、たとえば、鳥害防止装置１００の設置位置（たとえば鉄塔部材（図７を参照）など）と同系色に着色することができる。これによって、鳥害防止装置１００が設置されていることをわかりにくくすることができる。鳥害防止装置１００が設置されていることをわかりにくくすることにより、鳥害防止装置１００の設置によって美観が損なわれることを抑制することができる。
【００２７】
あるいは、マグネットシート１０１は、鳥害防止装置１００の設置位置とは異なる色に着色されていてもよい。これによって、鳥害防止装置１００を目立たせ、鳥害防止装置１００が設置されていること、および、鳥害防止装置１００の設置位置を明確に案内することができる。そして、鳥害防止装置１００の設置位置を明確に案内することにより、たとえば、鳥害防止装置１００およびその設置状態を鉄塔の下方から確認させやすくすることができる。これにより、劣化などによって不用意に脱落する前に鳥害防止装置１００を取り外したり、新しい鳥害防止装置１００に取り替えたりすることができ、劣化による鳥害防止装置１００の落下を防止することができる。
【００２８】
マグネットシート１０１は、当該マグネットシート１０１を厚さ方向に貫通する複数の孔１０１ａを備えている。複数の孔１０１ａは、それぞれ、隣接する孔１０１ａに対して所定の間隔を空けて設けられている。具体的には、たとえば、複数の孔１０１ａの直径をそれぞれ０．５ｍｍ程度とし、複数の孔１０１ａどうしの間隔を５ｍｍ間隔とすることができる。
【００２９】
また、具体的には、複数の孔１０１ａは、たとえば、鳥害防止の対象とする鳥の大きさに応じた間隔で配置されている。すなわち、鳥害防止装置１００の設置対象とする鉄塔の建設位置（場所、周辺環境など）や鉄塔における鳥害防止装置１００の設置対象とする高さなどに応じて鳥害防止の対象とする鳥を想定し、想定された鳥の大きさが大きい場合は隣接する孔１０１ａどうしの間隔を広くしたり、想定された鳥の大きさが小さい場合は隣接する孔１０１ａどうしの間隔を狭くしたりする。
【００３０】
マグネットシート１０１には、破線状に配列され、マグネットシート１０１を厚さ方向に貫通する複数の孔１０３ａによってなされるミシン目１０３が設けられている。ミシン目１０３は、たとえば、複数の孔１０１ａどうしの間など、複数の孔１０１ａと重ならない位置に設けることができる。あるいは、ミシン目１０３は、たとえば、複数の孔１０１ａと重なる位置に設けられていてもよい。
【００３１】
ミシン目１０３を設けることにより、たとえば作業者によって当該ミシン目１０３を間にした両側にマグネットシート１０１を引っ張る力を作用させた場合、ミシン目１０３の位置からマグネットシート１０１を切断することができる。これによって、鉄塔上において、鳥害防止装置１００の設置位置の広さなどの状況に応じて、マグネットシート１０１の大きさを適宜調整することができる。
【００３２】
鳥害防止用突起部材１０２は、突状体１０２ａと固定部材１０２ｂとによって構成されている。突状体１０２ａは、たとえば、針状に成型された樹脂材料によって実現することができる。具体的には、突状体１０２ａは、たとえば、マグネットシート１０１から先端までの長さが１００ｍｍ程度となるように、針状に成形された樹脂材料によって実現することができる。
【００３３】
突状体１０２ａの先端は、細く尖っていてもよい。樹脂材料は、突状体１０２ａに対して加えられた外力に応じて変形する可撓性を有している。また、樹脂材料は、突状体１０２ａが当該突状体１０２ａを変形させる外力から解放された場合に、当該外力が加えられる前の所定の形状に復帰する弾性を有している。具体的には、針形状をなす突状体１０２ａは、たとえば、ポリエステル系樹脂を用いて形成することができる。突状体１０２ａは、透明または白もしくは黒色であって、細く、柔軟性はあるが自立性のある針状のポリエステル系樹脂によって形成することが好ましい。
【００３４】
固定部材１０２ｂは、突状体１０２ａを支持するとともに、マグネットシート１０１に固定される。具体的には、固定部材１０２ｂは、たとえば、厚さが０．５ｍｍ程度、面積が１０ｍｍ×１０ｍｍ程度の大きさとすることが好ましい。
【００３５】
固定部材１０２ｂは、たとえば、鉄などのように、マグネットシート１０１の磁力によってマグネットシート１０１に貼り付く性質を備えた材料によって形成することができる。あるいは、固定部材１０２ｂは、たとえば、磁性材料を含む材料によって形成された磁石やマグネットシート１０１とは別体のマグネットシートなどによって実現してもよい。
【００３６】
これにより、固定部材１０２ｂとマグネットシート１０１との間に作用する磁力に起因する吸引力によって、固定部材１０２ｂをマグネットシート１０１に固定することができる。これによって、突状体１０２ａを支持する固定部材１０２ｂを容易にマグネットシート１０１に固定する、すなわち、鳥害防止用突起部材１０２を容易にマグネットシート１０１に固定することができる。
【００３７】
また、固定部材１０２ｂとマグネットシート１０１との間に作用する磁力に起因する吸引力によって、固定部材１０２ｂをマグネットシート１０１に固定することにより、鳥害防止用突起部材１０２をマグネットシート１０１に対して取り外し可能に取り付けることができる。鳥害防止用突起部材１０２をマグネットシート１０１に対して取り外し可能に取り付けることにより、鳥害防止装置１００の設置位置の状況や鳥害防止の対象とする鳥の大きさなどに応じて、鳥害防止用突起部材１０２の取り付け数を適宜調整することができる。
【００３８】
固定部材１０２ｂは、粘着テープや接着剤などを用いてマグネットシート１０１に固定されていてもよい。粘着テープや接着剤などを用いてマグネットシート１０１に固定部材１０２ｂを固定することにより、鳥害防止装置１００の搬送中にマグネットシート１０１から鳥害防止用突起部材１０２が脱離することを防止することができる。
【００３９】
鳥害防止用突起部材１０２は、複数の孔１０１ａのそれぞれに、最大１つの突状体１０２ａが挿入された状態で、固定部材１０２ｂをマグネットシート１０１に固定することによって、マグネットシート１０１に取り付けられている。複数の孔１０１ａは、それぞれ、隣り合う孔１０１ａに対して所定の間隔を空けて設けられているため、複数の孔１０１ａのそれぞれに１つの突状体１０２ａが挿入された状態で固定部材１０２ｂをマグネットシート１０１に固定することにより、容易かつ確実に、鳥害防止用突起部材１０２すなわち突状体１０２ａどうしを所定の間隔を空けて配置することができる。
【００４０】
突状体１０２ａは、固定部材１０２ｂに対して１本ずつ設けられているものに限らず、たとえば先端が二股に分岐する略Ｖ字形状あるいは略Ｙ字形状をなしていてもよい。そして、突状体１０２ａの分岐方向が複数の孔１０１ａの配列方向に交差するように鳥害防止用突起部材１０２を設けることにより、突状体１０２ａの先端がマグネットシート１０１の幅方向および長さ方向にわたって広がるので、鳥が一層止まりにくい環境をつくることができる。
【００４１】
図４は、この発明にかかる実施の形態の鳥害防止装置１００の構成部品を示す説明図である。図４においては、図３に示した鳥害防止用突起部材１０２とは異なる形態によって実現される鳥害防止用突起部材を示している。図４において、鳥害防止用突起部材４０１が備える突状体４０１ａは、リング形状をなしている。具体的には、突状体４０１ａは、たとえば、マグネットシート１０１から先端までの長さが１００ｍｍ程度となるように、リング状に成形された樹脂材料によって実現することができる。
【００４２】
リング形状をなす突状体４０１ａは、針状に成形された突状体１０２ａと同様に、突状体４０１ａに対して加えられた外力に応じて変形する可撓性を有する樹脂材料を用いて形成されている。また、リング形状をなす突状体４０１ａを形成する樹脂材料は、突状体４０１ａが当該突状体４０１ａを変形させる外力から解放された場合に、当該外力が加えられる前の所定の形状に復帰する弾性を有している。具体的には、リング形状をなす突状体４０１ａは、たとえば、ポリエステル系樹脂を用いて形成することができる。突状体４０１ａは、透明または白もしくは黒色であって、細く、柔軟性はあるが自立性のあるだ円形状のポリエステル系樹脂とすることが好ましい。
【００４３】
図５は、この発明にかかる別の実施の形態の鳥害防止装置１００を示す説明図である。図５において、リング形状をなす突状体４０１ａを備えた鳥害防止用突起部材４０１を備えた鳥害防止装置１００においては、当該突状体４０１ａに鳥が止まろうとした場合に、リング形状を弾性的に変形させ、鳥の足下を不安定にすることによって、鳥が止まることを効果的に抑制することができる。
【００４４】
また、リング形状をなす突状体４０１ａとすることにより、突状体４０１ａの存在を確認しやすくなるので、鳥が寄りつくこと自体を防止することができる。さらに、リング形状をなす突状体４０１ａとすることにより、突状体４０１ａの存在を確認しやすくなるので、突状体４０１ａが誤って作業者の目にささってしまうことを防止することができる。
【００４５】
図６は、この発明にかかる別の実施の形態の鳥害防止装置１００を示す説明図である。図６において、鳥害防止装置１００は、針形状をなす突状体１０２ａを備えた鳥害防止用突起部材１０２とリング形状をなす突状体４０１ａを備えた鳥害防止用突起部材４０１とが、交互に配置されて構成されている。このように、複数種類の突状体１０２ａ、４０１ａを備えた鳥害防止装置１００によれば、針形状をなす突状体１０２ａがなす鳥害防止効果、および、リング形状をなす突状体４０１ａがなす鳥害防止効果を同時に奏することができる。これによって、鉄塔部材に鳥が止まることに起因する各種の鳥害を確実に防止することができる。
【００４６】
このように、この発明にかかる各実施の形態の鳥害防止装置１００は、従来にはない方法によって鉄塔に設置することができる。すなわち、この発明にかかる各実施の形態の鳥害防止装置１００は、マグネットシート１０１を利用することにより、様々な取り付け方によって取り付けることができ、鉄塔部材の形状などに応じて柔軟に対応することができる。
【００４７】
また、この発明にかかる各実施の形態の鳥害防止装置１００は、作業者の任意の大きさにマグネットシート１０１をカッティングすることができるため、鳥害防止装置１００の設置対象となる鉄塔部材の大きさ（太さ）、長さ、設置面（上面であるか、下面であるか、側面であるか、など）の向き（方向）などに制約を受けることがなく、適切な位置に設置することができる。すなわち、鉄塔部材上面や下面に向けて、あるいは側面に向けても自在に貼り付けることができる。
【００４８】
この発明にかかる実施の形態の鳥害防止装置１００においては、マグネットシート１０１に、直接、鳥が止まりにくくする装置を設けてもよい。具体的には、たとえば、マグネットシート１０１の表面形状（鉄塔部材に対向する面とは反対側の面）を、先端の尖った凹凸形状とすることによって、鳥が止まりにくくなるようにしてもよい。
【００４９】
この発明にかかる実施の形態の鳥害防止装置１００においては、マグネットシート１０１が、両面多極着磁をおこなうものであってもよい。両面多極着磁をおこなったマグネットシート１０１を採用することにより、磁場による鳥類の飛来抑止を期待することができる。これによって、鳥害防止用突起部材１０２、４０１（突状体１０２ａ、４０１ａ）による鳥類の飛来抑止に加えて、より一層、鳥が止まりにくい環境をつくり、鳥害を効果的に防止することができる。
【００５０】
この発明にかかる実施の形態の鳥害防止装置１００においては、マグネットシート１０１に、透明または白もしくは黒色であって、細く、柔軟性はあるが自立性のある針状あるいはだ円形状のポリエステル系樹脂を設ける（植え付ける）ことにより、飛来した鳥に対して、「見えないものに触れる」という恐怖感を与えることができる。これによって、鳥害防止装置１００が設置されている位置に鳥が止まりづらくする効果を期待することができる。
【００５１】
図７は、この発明にかかる実施の形態の鳥害防止装置１００の設置例を示す説明図である。図７において、針状の突状体１０２ａを備えた鳥害防止装置１００は、鉄塔部材７０１上面に取り付け、突状体１０２ａの先端が上方に向いた状態で、鉄塔部材７０１に取り付けることが好ましい。また、リング状の突状体４０１ａを備えた鳥害防止装置１００は、鉄塔部材７０１下面に取り付け、突状体４０１ａの先端が下方に向いた状態で、鉄塔部材７０１に取り付けることが好ましい。さらに、針状の突状体１０２ａおよびリング状の突状体４０１ａが混在する鳥害防止装置１００は、鉄塔部材７０１の側面に取り付け、突状体１０２ａの先端が側方に向いた状態で、鉄塔部材７０１に取り付けることが好ましい。
【００５２】
この発明にかかる実施の形態の鳥害防止装置１００は、柔軟性のあるポリエステル系樹脂を用いて突状体１０２ａ、４０１ａを形成したため、鉄塔上での作業に際して、鉄塔上で作業する作業者が突状体１０２ａ、４０１ａを足で踏みつけても当該作業者が移動した場合には直ちに現状に回復する。
【００５３】
以上説明したように、この発明にかかる実施の形態の鳥害防止装置１００は、磁性材料を含み、シート形状をなすマグネットシート１０１と、マグネットシート１０１に取り付けられ、マグネットシート１０１の他面側から突出する複数の鳥害防止用突起部材１０２、４０１と、を備え、鳥害防止用突起部材１０２、４０１が、それぞれ、隣接する鳥害防止用突起部材１０２、４０１に対して所定の間隔を空けた状態で配置されていることを特徴としている。
【００５４】
この実施の形態の鳥害防止装置１００によれば、鉄塔を構成する鉄塔部材７０１にマグネットシート１０１の一面側を対向させた状態で、当該マグネットシート１０１を鉄塔部材７０１に取り付ける（貼り付ける）だけで、鉄塔部材７０１における任意の位置に鳥害防止装置１００を設置することができる。これによって、鉄塔部材７０１に対する鳥害防止装置１００の設置の容易化を図ることができる。
【００５５】
また、この実施の形態の鳥害防止装置１００によれば、鳥害防止装置１００を鉄塔部材７０１に取り付けた状態では、複数の鳥害防止用突起部材１０２が鉄塔部材７０１から外側に向かって突出しているため、鉄塔部材７０１に鳥が止まったり営巣したりすることを抑制することができる。これによって、鳥害を抑制することができる。
【００５６】
さらに、この実施の形態の鳥害防止装置１００によれば、鳥害防止用突起部材１０２、４０１は、それぞれ、隣接する鳥害防止用突起部材１０２、４０１に対して所定の間隔を空けた状態で配置されているため、対象とする鳥の大きさに応じた間隔で鳥害防止用突起部材１０２、４０１を配置することにより、鳥害防止用突起部材１０２、４０１どうしの間にも鳥が止まりにくい環境をつくることができる。これによって、より確実に鳥害を抑制することができる。
【００５７】
また、この実施の形態の鳥害防止装置１００によれば、鳥害防止装置１００におけるマグネットシート１０１の磁力は、鉄塔部材７０１に対して面で作用するため、鉄塔部材７０１に対して鳥害防止装置１００を安定して設置することができる。これによって、鳥害防止装置１００が鉄塔部材７０１から脱落することを防止し、確実に鳥害を抑制することができる。
【００５８】
このように、この実施の形態の鳥害防止装置１００によれば、容易かつ確実に鳥害を防止することができる。
【００５９】
また、この実施の形態の鳥害防止装置１００によれば、鳥害防止装置１００はマグネットシート１０１の磁力によって鉄塔部材７０１に取り付けられているため、たとえば、鉄塔部材７０１上での作業に際して作業の支障になる場合は容易に取り外すことができるとともに、別の場所に取り付け（貼り付け）て待避させておくことができる。そして、作業が終了した後は、ふたたび、鳥害防止装置１００を鉄塔部材７０１に容易に設置することができる。
【００６０】
また、この発明にかかる実施の形態の鳥害防止装置１００は、マグネットシート１０１が、当該マグネットシート１０１を厚さ方向に貫通する複数の孔１０１ａを備え、鳥害防止用突起部材１０２、４０１が、複数の孔１０１ａにそれぞれ挿入される突状体１０２ａ、４０１ａと、当該突状体１０２ａ、４０１ａを支持するとともにマグネットシート１０１に固定される固定部材１０２ｂと、を備えたことを特徴としている。
【００６１】
この実施の形態の鳥害防止装置１００によれば、マグネットシート１０１に設けられた複数の孔のそれぞれに突状体１０２ａ、４０１ａを挿入した状態で、当該突状体１０２ａ、４０１ａを支持する固定部材１０２ｂをマグネットシート１０１に固定するだけで、突状体１０２ａ、４０１ａをマグネットシート１０１に固定し、鳥害防止装置１００を構成することができる。これによって、容易かつ確実に鳥害を防止することができる鳥害防止装置１００を、簡易な構成によって実現することができる。
【００６２】
そして、この実施の形態の鳥害防止装置１００によれば、鳥害防止装置１００の構成の簡易化を図ることにより、鳥害防止装置１００の重量を低く抑えることができる。これによって、鉄塔の昇降にかかる作業者の負担軽減を図ることができる。
【００６３】
また、この発明にかかる実施の形態の鳥害防止装置１００は、突状体１０２ａ、４０１ａが、加えられた外力に応じて変形する可撓性、および、外力から解放された場合に当該外力が加えられる前の所定の形状に復帰する弾性を有する材料を用いて形成されていることを特徴としている。
【００６４】
この実施の形態の鳥害防止装置１００によれば、鉄塔部材７０１上で作業をおこなう作業者に踏まれるなどした場合に突状体１０２ａ、４０１ａを変形させ、作業者が通過した後は外力が加えられる前の所定の形状に復帰させることができる。これによって、鉄塔部材７０１に鳥害防止装置１００を設置したことによって鉄塔部材７０１上での作業に支障をきたすことなく、鉄塔部材７０１に鳥が止まったり営巣したりすることを抑制することができる。
【００６５】
また、この実施の形態の鳥害防止装置１００によれば、突状体１０２ａ、４０１ａは、外力から解放された場合に当該外力が加えられる前の所定の形状に復帰するため、作業者に、突状体１０２ａ、４０１ａの形状を所定の形状に復帰させるなどの作業をおこなわせることなく、作業の後にも確実に鉄塔部材７０１に鳥が止まったり営巣したりすることを抑制することができる。これによって、鉄塔部材７０１に鳥害防止装置１００を設置したことによって鉄塔部材７０１上での作業を増やすことなく、迅速に作業に着手できるとともに、作業後は迅速かつ確実に現状復帰させることができる。
【００６６】
また、この発明にかかる実施の形態の鳥害防止装置１００は、鳥害防止用突起部材１０２、４０１が、マグネットシート１０１に対して取り外し可能に取り付けられていることを特徴としている。この実施の形態の鳥害防止装置１００によれば、突状部の形状を異ならせた複数種類の鳥害防止用突起部材１０２、４０１を設け、鳥害防止対策の対象とする鳥の種類や大きさなどに応じて適宜最適な種類の鳥害防止用突起部材１０２、４０１をマグネットシート１０１に取り付けることができる。これによって、設置対象場所に応じて最適な鳥害防止装置１００を構成し、設置することができる。
【００６７】
また、この発明にかかる実施の形態の鳥害防止装置１００は、マグネットシート１０１が、破線状に配列されマグネットシート１０１を厚さ方向に貫通する複数の孔１０３ａ（ミシン目１０３）を備えたことを特徴としている。この実施の形態の鳥害防止装置１００によれば、破線状に配列された複数の孔１０３ａによってなされるミシン目１０３に沿って、マグネットシート１０１を切断し、マグネットシート１０１のサイズを変更することができる。これによって、鳥害防止装置１００の実際の設置対象位置の状況に応じて、鉄塔部材７０１上でマグネットシート１０１のサイズを調整することができる。
【産業上の利用可能性】
【００６８】
以上のように、この発明にかかる鳥害防止装置は、鳥を原因とした被害を防止する鳥害防止装置に有用であり、特に、鳥を原因とした鉄塔における被害を防止する鳥害防止装置に適している。
【符号の説明】
【００６９】
１００  鳥害防止装置
１０１  マグネットシート
１０２  鳥害防止用突起部材
１０２ａ  突状体
１０２ｂ  固定部材
１０３ａ  孔
１０３  ミシン目
４０１  鳥害防止用突起部材
４０１ａ  突状体
【図１】
2011182735.tif 000003
【図２】
2011182735.tif 000004
【図３】
2011182735.tif 000005
【図４】
2011182735.tif 000006
【図５】
2011182735.tif 000007
【図６】
2011182735.tif 000008
【図７】
2011182735.tif 000009